(57)【要約】【課題】  従来は、ＭＰＬＳ−ＴＰ回線を複数台の管理サーバで管理している場合、管理サーバ間で連携する必要があった。【解決手段】  本発明では、ＴＤＭ回線とパケット回線とを相互に接続する端局と、パケット回線でパケット転送を行う中継局と、パケットのラベル番号を決定して配下の前記端局と前記中継局に回線設定情報を通知する管理サーバと、前記管理サーバにＴＤＭ回線の接続先を指示する上位システムとを有するラベルスイッチ伝送システムにおいて、前記上位システムの配下にある複数の前記管理サーバにより別々に管理される前記端局および前記中継局を介してＴＤＭ回線が中継される場合に、前記管理サーバは、ＴＤＭ回線の識別子と、ＴＤＭ回線に接続される前記端局の識別子とを組み合わせてパケットのラベル番号を決定することを特徴とする。【選択図】図６
2013175911.tif 000002
【特許請求の範囲】
【請求項１】
ＴＤＭ回線とパケット回線とを相互に接続する端局と、パケット回線でパケット転送を行う中継局と、パケットのラベル番号を決定して配下の前記端局と前記中継局に回線設定情報を通知する管理サーバと、前記管理サーバにＴＤＭ回線の接続先を指示する上位システムとを有するラベルスイッチ伝送システムにおいて、
前記上位システムの配下にある複数の前記管理サーバにより別々に管理される前記端局および前記中継局を介してＴＤＭ回線が中継される場合に、
前記管理サーバは、ＴＤＭ回線の識別子と、当該ＴＤＭ回線に接続される前記端局の識別子とを組み合わせてパケットのラベル番号を決定する
ことを特徴とするラベルスイッチ伝送システム。
【請求項２】
請求項１に記載のラベルスイッチ伝送システムにおいて、
前記管理サーバは、前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知する
ことを特徴とするラベルスイッチ伝送システム。
【請求項３】
請求項１または２に記載のラベルスイッチ伝送システムにおいて、
前記ＴＤＭ回線をＳＤＨ回線、前記パケット回線をＭＰＬＳ−ＴＰ回線でそれぞれ構成し、２０ビットのＭＰＬＳ−ＴＰラベルフィールドのうち、１１ビットを前記ＳＤＨ回線のタイムスロット番号、９ビットを前記端局の装置ＩＤとしてラベル番号を決定する
ことを特徴とするラベルスイッチ伝送システム。
【請求項４】
ＴＤＭ回線とパケット回線とを相互に接続する端局と、パケット回線でパケット転送を行う中継局とを配下に有し、上位システムのＴＤＭ回線の接続先情報に応じてパケットのラベル番号を決定する管理サーバにおいて、
ＴＤＭ回線の識別子と、当該ＴＤＭ回線に接続される前記端局の識別子とを組み合わせてパケットのラベル番号を決定する
ことを特徴とする管理サーバ。
【請求項５】
請求項４に記載の管理サーバにおいて、
前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知する
ことを特徴とする管理サーバ。
【請求項６】
請求項４または５に記載の管理サーバにおいて、
前記ＴＤＭ回線はＳＤＨ回線、前記パケット回線はＭＰＬＳ−ＴＰ回線でそれぞれ構成され、２０ビットのＭＰＬＳ−ＴＰラベルフィールドのうち、１１ビットを前記ＳＤＨ回線のタイムスロット情報、９ビットを装置ＩＤとしてラベル番号を決定する
ことを特徴とする管理サーバ。
【請求項７】
ＴＤＭ回線とパケット回線とを相互に接続する端局と、パケット回線でパケット転送を行う中継局と、ＴＤＭ回線の接続先に応じてパケットのラベル番号を決定して配下の前記端局と前記中継局に回線設定情報を通知する管理サーバと、前記管理サーバにＴＤＭ回線の接続先を指示する上位システムとを有するラベルスイッチ伝送システムにおけるラベル番号決定方法において、
前記上位システムの配下にある複数の前記管理サーバにより管理される前記端局および前記中継局を介してＴＤＭ回線が中継される場合に、ＴＤＭ回線のタイムスロット識別子と、当該ＴＤＭ回線に接続される前記端局の装置ＩＤとを組み合わせてパケットのラベル番号を決定する
ことを特徴とするラベル番号決定方法。
【請求項８】
請求項７に記載のラベル番号決定方法において、
前記管理サーバは、前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知する
ことを特徴とするラベル番号決定方法。
【請求項９】
請求項７または８に記載のラベル番号決定方法において、
前記ＴＤＭ回線はＳＤＨ回線、前記パケット回線はＭＰＬＳ−ＴＰ回線でそれぞれ構成され、２０ビットのＭＰＬＳ−ＴＰラベルフィールドのうち、１１ビットを前記ＳＤＨ回線のタイムスロット情報、９ビットを装置ＩＤとしてラベル番号を決定する
ことを特徴とするラベル番号決定方法。
【発明の詳細な説明】
【技術分野】
【０００１】
本発明は、ＴＤＭ回線をパケット回線で中継するラベルスイッチ伝送システムにおけるラベル番号決定方法に関する。
【背景技術】
【０００２】
近年、様々なプロトコルに対応可能なＭＰＬＳ−ＴＰなどのパケット回線が注目されている（例えば、非特許文献１参照）。そして、ＳＤＨなどのＴＤＭ回線で伝送する信号をＭＰＬＳ−ＴＰなどのパケット回線で中継する事例が増えている（例えば、非特許文献２参照）。
【０００３】
このように物理的な伝送方式が異なる回線を相互に接続する端局では、例えばＴＤＭ回線からパケット回線に変換する場合はＴＤＭ信号をパケット化し、逆にパケット回線からＴＤＭ回線に変換する場合はパケットを元のＴＤＭ信号に変換しなければならない。この時、パケットのラベル番号とＴＤＭ信号との対応や回線設定情報などを管理する必要があり、パケット回線の端局や中継局を制御する管理サーバが配置されている。
【０００４】
例えば図１１に示すように、両端の２つのＳＤＨ回線９５１，９５２をＭＰＬＳ−ＴＰ伝送方式のパケット回線（ＭＰＬＳ−ＴＰ回線９５３）で中継するラベルスイッチ伝送システム９００において、ＳＤＨ回線９５１を収容する端局９０１と、ＳＤＨ回線９５２を収容する端局９０４との間には中継局９０２と中継局９０３とが配置されている。そして、端局９０１，９０４および中継局９０２，９０３は管理サーバ（ＮＥ−ＯｐＳ）９０５に接続され、さらに管理サーバ９０５は上位回線設定システム９０６に接続され、オペレータにより運用が管理されている。
【０００５】
そして、上位回線設定システム９０６から端局９０１に収容されるＳＤＨ回線９５１のタイムスロット１（ＴＳ１）の回線を端局９０４に収容されるＳＤＨ回線９５２のタイムスロット２８（ＴＳ２８）の回線に送信するように管理サーバ９０５に指令する。これを受けた管理サーバ９０５はパケットのラベル（例えばラベル＝１２３４）を決定し、配下の各局に回線設定情報（例えば、ラベル＝１２３４のパケットは端局９０４に接続されるＳＤＨ回線９５２のＴＳ２８に転送などの情報）を通知する仕組みになっている。
【０００６】
このようにして、ＳＤＨ回線９５１のタイムスロット１（ＴＳ１）の回線から入力するデータは端局９０１でラベル（図１の例では１２３４）を付加したパケットに変換され、中継局９０２および中継局９０３でパケット転送が行われて端局９０４まで伝送される。尚、管理サーバ９０５から中継局９０２および中継局９０３に対してラベル１２３４のパケットは端局９０４宛であることが通知されている。そして、ラベル＝１２３４が付加されたパケットを受信した端局９０４は、管理サーバ９０５の通知（上記の例ではラベル１２３４のパケットがＴＳ２８に対応）に基づいて、ＳＤＨ回線９５２のタイムスロット２８（ＴＳ２８）に当該パケットのデータを出力することができる。
【０００７】
図１１の例は、１台の管理サーバ９０５によって１つのＭＰＬＳ−ＴＰ回線９５３が管理されていたので、ラベルの宛先やＴＤＭ回線のタイムスロットとパケットの対応を容易に管理することができたが、複数の管理サーバがそれぞれ管理するＭＰＬＳ−ＴＰ回線を経由する場合は各パケット回線毎に配置される複数の管理サーバ間で連携して端局や中継局の制御を行う必要があった（例えば、特許文献１参照）。
【先行技術文献】
【特許文献】
【０００８】
【特許文献１】特開２０１１−１４７０５５号公報
【非特許文献】
【０００９】
【非特許文献１】ＲＦＣ  ５６５４（Ｒｅｑｕｉｒｅｍｅｎｔｓ  ｏｆ  ａｎ  ＭＰＬＳ  Ｔｒａｎｓｐｏｒｔ  Ｐｒｏｆｉｌｅ）ｈｔｔｐ：／／ｔｏｏｌｓ．ｉｅｔｆ．ｏｒｇ／ｈｔｍｌ／ｒｆｃ５６５４
【非特許文献２】ＲＦＣ  ５０８６（Ｓｔｒｕｃｔｕｒｅ−Ａｗａｒｅ  Ｔｉｍｅ  Ｄｉｖｉｓｉｏｎ  Ｍｕｌｔｉｐｌｅｘｅｄ（ＴＤＭ）  Ｃｉｒｃｕｉｔ  Ｅｍｕｌａｔｉｏｎ  Ｓｅｒｖｉｃｅ  ｏｖｅｒ  Ｐａｃｋｅｔ  Ｓｗｉｔｃｈｅｄ  Ｎｅｔｗｏｒｋ（ＣＥＳｏＰＳＮ））ｈｔｔｐ：／／ｔｏｏｌｓ．ｉｅｔｆ．ｏｒｇ／ｈｔｍｌ／ｒｆｃ５０８６
【発明の概要】
【発明が解決しようとする課題】
【００１０】
従来、ＭＰＬＳ−ＴＰ回線を複数の管理サーバで管理する場合、それぞれの管理サーバが連携して動作する必要があった。例えば図１２に示すように、２つのＳＤＨ回線９５１，９５２の間をＭＰＬＳ−ＴＰ伝送方式のＭＰＬＳ−ＴＰ回線９５４，９５５で中継するラベルスイッチ伝送システム９００ａの場合、図１１と同様に、ＳＤＨ回線９５１を収容する端局９０１と、中継局９０２と、中継局９０３と、ＳＤＨ回線９５２を収容する端局９０４とで構成されるが、図１２の例では端局９０１と中継局９０２は管理サーバ（ＮＥ−ＯｐＳ）９２１、端局９０４と中継局９０３は別の管理サーバ（ＮＥ−ＯｐＳ）９２２にそれぞれ接続されている点が図１１とは異なる。尚、図１１の回線設定システム９０６と同様に、管理サーバ９２１および管理サーバ９２２の上位には回線設定システム９２３が接続され、オペレータにより運用が管理されている。
【００１１】
そして、上位回線設定システム９２３から端局９０１に収容されるＳＤＨ回線９５１のタイムスロット１（ＴＳ１）の回線を端局９０４に収容されるＳＤＨ回線９５２のタイムスロット２８（ＴＳ２８）の回線に送信するように管理サーバ９２１および管理サーバ９２２に指令する。ところが管理サーバ９２１と管理サーバ９２２は異なる管理サーバなので、管理サーバ９２１は独自にパケットのラベル（例えばラベル＝１２３４）を決定して配下の端局９０１および中継局９０２に通知し、管理サーバ９２２も独自にパケットのラベル（例えばラベル＝５６７８）を決定して配下の端局９０４および中継局９０３に通知することになる。
【００１２】
この結果、中継局９０２と中継局９０３との間で送信されるパケットのラベルが異なり、回線が繋がらなくなってしまうという問題が生じる。このため、従来は管理サーバ９２１と管理サーバ９２２とを何らかの方法で連携を行ってラベル情報を共有し、同じラベルを割り当てるかラベル変換を行う必要があった。
【００１３】
ところが、このような管理サーバ同士が連携を行い、各局に対して払い出すラベル値を合わせる動作は複雑なシーケンスや仕組みが必要となり、システム上の負担が大きくなるという問題が生じる。特に図１２の例では２台の管理サーバだけで運用されているが、３台、４台などさらに多くの管理サーバが存在する場合や、ネットワーク障害により管理サーバ同士の連携が行えなくなった場合などにおいて、どの管理サーバが主導的にラベル値を決定するのかなど、複雑な問題を解決しなければならない。
【００１４】
上記課題に鑑み、本発明の目的は、ＴＤＭ回線間を接続するＭＰＬＳ−ＴＰ回線を複数台の管理サーバで管理している場合でも各管理サーバが逐次連携して動作する必要がないラベルスイッチ伝送システムおよび管理サーバ並びにラベル番号決定方法を提供することである。
【課題を解決するための手段】
【００１５】
本発明に係るラベルスイッチ伝送システムは、ＴＤＭ回線とパケット回線とを相互に接続する端局と、パケット回線でパケット転送を行う中継局と、パケットのラベル番号を決定して配下の前記端局と前記中継局に回線設定情報を通知する管理サーバと、前記管理サーバにＴＤＭ回線の接続先を指示する上位システムとを有するラベルスイッチ伝送システムにおいて、前記上位システムの配下にある複数の前記管理サーバにより別々に管理される前記端局および前記中継局を介してＴＤＭ回線が中継される場合に、前記管理サーバは、ＴＤＭ回線の識別子と、ＴＤＭ回線に接続される前記端局の識別子とを組み合わせてパケットのラベル番号を決定することを特徴とする。
【００１６】
また、前記管理サーバは、前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知することを特徴とする。
【００１７】
特に、前記ＴＤＭ回線をＳＤＨ回線、前記パケット回線をＭＰＬＳ−ＴＰ回線でそれぞれ構成し、２０ビットのＭＰＬＳ−ＴＰラベルフィールドのうち、１１ビットを前記ＳＤＨ回線のタイムスロット番号、９ビットを前記端局の装置ＩＤとしてラベル番号を決定することを特徴とする。
【００１８】
本発明に係る管理サーバは、ＴＤＭ回線とパケット回線とを相互に接続する端局と、パケット回線でパケット転送を行う中継局とを配下に有し、上位システムのＴＤＭ回線の接続先情報に応じてパケットのラベル番号を決定する管理サーバにおいて、ＴＤＭ回線の識別子と、ＴＤＭ回線に接続される前記端局の識別子とを組み合わせてパケットのラベル番号を決定することを特徴とする。
【００１９】
また、前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知することを特徴とする。
【００２０】
特に、前記ＴＤＭ回線はＳＤＨ回線、前記パケット回線はＭＰＬＳ−ＴＰ回線でそれぞれ構成され、２０ビットのＭＰＬＳ−ＴＰラベルフィールドのうち、１１ビットを前記ＳＤＨ回線のタイムスロット情報、９ビットを装置ＩＤとしてラベル番号を決定することを特徴とする。
【００２１】
本発明に係るラベル番号決定方法は、ＴＤＭ回線とパケット回線とを相互に接続する端局と、パケット回線でパケット転送を行う中継局と、ＴＤＭ回線の接続先に応じてパケットのラベル番号を決定して配下の前記端局と前記中継局に回線設定情報を通知する管理サーバと、前記管理サーバにＴＤＭ回線の接続先を指示する上位システムとを有するラベルスイッチ伝送システムにおけるラベル番号決定方法において、前記上位システムの配下にある複数の前記管理サーバにより管理される前記端局および前記中継局を介してＴＤＭ回線が中継される場合に、ＴＤＭ回線のタイムスロット識別子と、ＴＤＭ回線に接続される前記端局の装置ＩＤとを組み合わせてパケットのラベル番号を決定することを特徴とする。
【００２２】
また、前記管理サーバは、前記転送元のＴＤＭ回線に接続される前記端局側のラベル番号と、転送先のＴＤＭ回線に接続される前記端局側のラベル番号との対応を示すクロスコネクト情報を配下の前記端局および前記中継局に通知することを特徴とする。
【００２３】
特に、前記ＴＤＭ回線はＳＤＨ回線、前記パケット回線はＭＰＬＳ−ＴＰ回線でそれぞれ構成され、２０ビットのＭＰＬＳ−ＴＰラベルフィールドのうち、１１ビットを前記ＳＤＨ回線のタイムスロット情報、９ビットを装置ＩＤとしてラベル番号を決定することを特徴とする。
【発明の効果】
【００２４】
本発明に係るラベルスイッチ伝送システムおよび管理サーバ並びにラベル番号決定方法は、ＴＤＭ回線間を中継するＭＰＬＳ−ＴＰ回線を複数台の管理サーバで管理している場合に各管理サーバ間で連携してラベル番号を管理する必要がなくなる。
【図面の簡単な説明】
【００２５】
【図１】ラベルスイッチ伝送システム１００の構成例を示す図である。
【図２】タイムスロット番号に対してラベル値が一意に決まることを示す図である。
【図３】ラベル値の構成例を示す図である。
【図４】装置ＩＤの一例を示す図である。
【図５】タイムスロット番号の一例を示す図である。
【図６】装置ＩＤとＴＳ位置からラベル値を決める方法を示す図である。
【図７】管理サーバ１２１の構成例を示す図である。
【図８】ラベルスイッチ伝送システム１００ａの構成例を示す図である。
【図９】装置ＩＤの一例を示す図である。
【図１０】装置ＩＤとＴＳ位置からラベル値を決める方法を示す図である。
【図１１】従来のラベルスイッチ伝送システム９００の構成例を示す図である。
【図１２】従来のラベルスイッチ伝送システム９００ａの構成例を示す図である。
【発明を実施するための形態】
【００２６】
以下、本発明に係るラベルスイッチ伝送システムおよび管理サーバ並びにラベル番号決定方法の実施形態について詳しく説明する。
【００２７】
図１は、本実施形態に係るラベルスイッチ伝送システム１００の構成例を示す図である。図１において、ラベルスイッチ伝送システム１００は、従来技術で説明したラベルスイッチ伝送システム９００ａと同様の構成で、ＴＤＭ回線のデータをパケットに変換または逆変換してＴＤＭ回線をＭＰＬＳ−ＴＰ回線で中継するシステムで、特にＭＰＬＳ−ＴＰ回線を複数台の管理サーバで管理しているような場合でも、それぞれの管理サーバが互いに連携することなく運用管理することができる。図１の例では、両端にはＴＤＭ回線としてＳＤＨ回線１５１，１５２がそれぞれ接続され、ＭＰＬＳ−ＴＰ区間はＭＰＬＳ−ＴＰ回線１５３，１５４で中継する構成になっている。
【００２８】
図１において、ＳＤＨ回線１５１を収容する端局１０１と、ＳＤＨ回線１５２を収容する端局１０２との間にはＭＰＬＳ−ＴＰ回線１５３の中継局１０３とＭＰＬＳ−ＴＰ回線１５４の中継局１０４とが配置されている。そして、端局１０１と中継局１０３は管理サーバ（ＮＥ−ＯｐＳ）１２１、中継局１０４と端局１０２は管理サーバ（ＮＥ−ＯｐＳ）１２２にそれぞれ接続され、さらに管理サーバ１２１と管理サーバ１２２の上位には回線設定システム１２３が接続されて、オペレータにより運用が管理されている。
【００２９】
そして、上位回線設定システム１２３から端局１０１に収容されるＳＤＨ回線１５１のタイムスロット１（ＴＳ１）の回線を端局１０２に収容されるＳＤＨ回線１５２のタイムスロット２８（ＴＳ２８）の回線に送信するように管理サーバ１２１と管理サーバ１２２に指令する。尚、この指令は、管理サーバ１２１および管理サーバ１２２にオペレータが手動で入力してもよいし、設定ファイルを作成して上位回線設定システム１２３から自動的に各管理サーバにインポートする形式でもよい。
【００３０】
ここまでの構成および動作は、ラベルスイッチ伝送システム９００ａと同じであるが、本実施形態に係るラベルスイッチ伝送システム１００ではラベル番号（システム動作の説明中ではラベル値と称する）の決定方法に特徴がある。
【００３１】
本実施形態に係るラベルスイッチ伝送システム１００では、図２の変換テーブル３０１に示すように、ＳＤＨ回線のタイムスロット番号（図２の例では１から２０１６の値）とＭＰＬＳ−ＴＰ回線のラベル値（図２の例ではＮ１からＮ２０１６の値）とを一意に括り付けておくための変換ルール（または変換式）を予め決めておく。この変換ルールは、図３（ａ）に示すように、ＳＤＨ回線に接続されるＭＰＬＳ−ＴＰ回線の端局毎に決められている固有の装置ＩＤ（装置識別子）と、収容するＳＤＨ回線のＴＳ番号とを組み合わせた値をラベル値とする。これにより、ラベル値は一意に決定され、同じ変換ルールが予め通知されている管理サーバであれば、ＭＰＬＳ−ＴＰ回線のパケットのラベル値からどの端局（装置ＩＤからわかる）のどのＴＳ（ＴＳ番号からわかる）であるかを容易に知ることができる。例えば図３（ｂ）に示すように、装置ＩＤを９ビット（５１２通り）、ＴＳ番号を１１ビット（２０４８通り）でそれぞれ表す場合、２０ビットのラベル値に変換することができる。
【００３２】
例えば図１の各局の装置ＩＤは、図４に示すように、端局１０１の装置ＩＤ（９ビット）は１（二進数：000000001）、端局１０２の装置ＩＤは２（二進数：000000010）、中継局１０３の装置ＩＤは３（二進数：000000011）、中継局１０４の装置ＩＤは４（二進数：000000100）となっている。
【００３３】
一方、ＳＤＨ回線１５１，１５２のＴＳ番号は、例えば図５に示すように、１から２０１６までの１１ビットで表され、それぞれが図３で説明したラベル値の中のＴＳ情報として用いられる。
【００３４】
ここで、ＴＳ情報は１１ビット割り当ててあるので、２０４８通りがあるが、例えばＴＤＭ回線の１つであるＳＤＨ回線において、ＳＴＭ−１規格（１５５．５２Ｍｂｐｓ）の速度を持つ回線は６４ｋｂｐｓ単位の回線を２０１６回線分だけ束ねている回線なので、図５の例では１から２０１６までを示してある。そして、２０１６個の回線の識別は、信号が伝送されるタイムスロット（ＴＳ）番号で行われている。このＴＳ番号は回線の中で一意であり、他の回線と重複することはない。そこで、図２に示すように、ＳＤＨ回線におけるＴＳ番号とＭＰＬＳ−ＴＰのラベル値とを予め関連付けておくことにより、ＳＤＨ回線からＭＰＬＳ−ＴＰ回線への変換を行うことができ、ＴＳ番号からラベル値への変換またはラベル値からＴＳ番号への変換が一意に決定される。特に、本実施形態に係るラベルスイッチ伝送システム１００では、図３に示すように、ＳＤＨ回線を収容する端局の装置ＩＤと当該ＳＤＨ回線のＴＳ番号とでラベル値を決定することにより、システム上で一意に決定されるラベル値で運用することができる。
【００３５】
図６は、上記の変換ルールに従って図１の端局１０１および端局１０２で管理サーバ１２１および管理サーバ１２２から払い出されるラベル値の一例を示す図である。図６において、端局１０１の装置ＩＤ：１（９ビットの二進数：000000001）とＳＤＨ回線のＴＳ：１（１１ビットの二進数：00000000001）とから２０ビットの二進数：00000000100000000001で表され、ラベル値は十進数で２０４９となる。同様に、端局１０２の装置ＩＤ：２（９ビットの二進数：000000010）とＳＤＨ回線のＴＳ：２８（１１ビットの二進数：00000011100）とから２０ビットの二進数：00000001000000011100で表され、ラベル値は十進数で４１２４となる。
【００３６】
このようにして、本実施形態に係るラベルスイッチ伝送システム１００では、予め決められたルールに従って上位回線設定システム１２３から指示される接続情報（送信元および送信先の端局の装置ＩＤとＳＤＨ回線のＴＳ番号）から一意にラベル値を決めることができるので、管理サーバ１２１と管理サーバ１２２との間でラベル値の通知など連携を行う必要がない。
【００３７】
［管理サーバ（ＮＥ−ＯｐＳ）１２１，１２２の構成例］
次に、図１における管理サーバ１２１，１２２の構成例について説明する。図７は管理サーバ１２１の構成例を示す図である。尚、管理サーバ１２２についても同様の構成である。
【００３８】
図７において、管理サーバ１２１は、入力部２０１と、受信バッファ２０２と、制御部２０３と、データ保持部２０４と、出力部２０５とで構成される。
【００３９】
入力部２０１は、上位回線設定システム１２３から指示される回線設定情報を入力し、受信バッファ２０２に一時的に保持する。同時に、入力部２０１は、制御部２０３に対して回線設定情報に関するデータ受信を通知する。これを受けた制御部２０３は、受信バッファ２０２からデータの読み出しを行う。そして、制御部２０３は、先に説明したルールに従ってＭＰＬＳ−ＴＰ回線で伝送するパケットに付与するラベル値を求める。さらに、制御部２０３は、決定したラベル値や回線設定情報などをデータ保持部２０４に格納し、ラベル値および転送先を示すクロスコネクト情報などを出力部２０５から各局に通知する。
【００４０】
ここで、上位回線設定システム１２３から指示される回線設定情報は、例えば図１の場合、「端局１０１（ＩＤ：１）のＴＳ１の回線を端局１０４（ＩＤ：２）のＴＳ２８の回線に接続」のようなデータで構成され、上位回線設定システム１２３から入力部２０１に入力されて受信バッファ２０２に保持される。
【００４１】
受信バッファ２０２は、揮発性メモリなどで構成され、上位回線設定システム１２３から受信する回線設定情報などのデータを一時的に保持するためのバッファである。
【００４２】
制御部２０３は、ＣＰＵなどで構成され、内部に予め記憶されたプログラムに従って動作する。本実施形態では、制御部２０３は、ＳＤＨ回線のタイムスロットに予め決められたルールに従ってラベル値を払い出す処理を行う。例えば図１の管理サーバ１２１の場合、端局１０１のＩＤは１でＴＳも１なので、図６で説明したようにラベル値：２０４９が払い出される。同様に、管理サーバ１２２の場合、端局１０２のＩＤは２でＴＳは２８なので、図６で説明したようにラベル値：４１２４が払い出される。
【００４３】
データ保持部２０４は、不揮発性メモリなどで構成され、払いだされたラベル値や回線設定情報などを格納する。上記の例では、管理サーバ１２１の端局１０１（ＩＤ：１）のＴＳ１の回線に対してラベル値：２０４９、管理サーバ１２２の端局１０４（ＩＤ：２）のＴＳ２８の回線に対してラベル値４１２４をそれぞれ対応させてデータ保持部２０４に格納する。
【００４４】
出力部２０５は、配下の各局にラベル値やクロスコネクト情報などを出力するためのインターフェースである。上記の例では、管理サーバ１２１の制御部２０３は、配下の端局１０１および中継局１０３に対して決定したラベル値を払い出すと共に、クロスコネクト情報などを出力する。クロスコネクト情報は、ラベル値に対応する転送先を示す情報で、例えば端局１０１のラベル値２０４９のパケットは中継局１０３に転送し、中継局１０３が受信するラベル値２０４９のパケットは中継局１０４に転送することががわかる。また、中継局１０４では、受信するラベル値２０４９のパケットは端局１０２宛であるのでラベル値を２０４９から４１２４に乗り換えて端局１０２に転送する。尚、図１の例では中継局の数が少なく、また端局１０１の転送先は中継局１０３のみ、中継局１０３は中継局１０４のみ、中継局１０４は端局１０２のみ、しか描かれていないが、実際には多数の中継局や端局が配置されているので、上記のようにラベル値に基づいた転送方路を決定するクロスコネクト情報が必要となり、管理サーバ１２１，１２２側から各局に通知される。また、図１の例では、管理サーバは、管理サーバ１２１，１２２の２台だけであるが、さらに多くの管理サーバが上位回線設定システム１２３の配下に配置されている場合でも、各管理サーバは、上記で説明した共通のルールに従ってラベル値を求めることができるので、従来のように、複数の管理サーバによるＭＰＬＳ−ＴＰ回線を経由する場合でも、管理サーバ間でラベル値を通知するなどの複雑な連携を行う必要がない。
【００４５】
このように管理サーバ１２１、１２２は、ＳＤＨ回線の特定のタイムスロットから入力するデータを一意にラベル値に変換することができ、ＳＤＨ回線をＭＰＬＳ−ＴＰ回線で中継し、再びＳＤＨ回線の指定されたタイムスロットに出力することができる。
【００４６】
［ラベルスイッチ伝送システム１００の動作例］
次に、ラベルスイッチ伝送システム１００の動作の流れについて具体的に説明する。先ず、上位回線設定システム１２３が端局１０１に収容されるＳＤＨ回線１５１のＴＳ１の回線を端局１０２に収容されるＳＤＨ回線１５２のＴＳ２８の回線に送信するように管理サーバ１２１と管理サーバ１２２に指令する。
【００４７】
この指令を受けた管理サーバ１２１は、端局１０１に対してＳＤＨ回線のＴＳ１の回線のラベル値は２０４９であることを通知し、中継局１０３に対してはラベル２０４９のパケットは宛先が端局１０２なので中継局１０４へ転送するように通知する。
【００４８】
一方、管理サーバ１２２は、中継局１０４に対してラベル２０４９のパケットをラベル６１７２に乗り換えて端局１０２に転送するように通知し、端局１０２に対してはラベル６１７２のパケットのデータはＳＤＨ回線のＴＳ２８の位置に挿入して転送するように通知する。
【００４９】
このようにして、管理サーバ１２１の配下の端局１０１から入力されるＳＤＨ回線のＴＳ１にはラベル値２０４９が予め決められたルールに従って払い出されて中継局１０３に転送され、さらに中継局１０３から中継局１０４に転送される。中継局１０４では、中継局１０３から受信するラベル２０４９のパケットは、端局１０１から来たことが分かるので、管理サーバ１２２から払い出されたラベル値やクロスコネクト情報に従って、ラベル値を６１７２に乗り換えて端局１０２に出力し、ＳＤＨ回線１５２のＴＳ２８に接続することができる。
【００５０】
［複数の端局がある場合］
次に、複数の端局がある場合の例について説明する。図１のラベルスイッチ伝送システム１００の例では、管理サーバ１２１には端局１０１、管理サーバ１２２には端局１０２がそれぞれ接続されているだけであったが、図８のラベルスイッチ伝送システム１００ａの例では、管理サーバ１２１には端局１０１と端局１０５、管理サーバ１２２には端局１０２と端局１０６がそれぞれ接続されている。このような事例でも図１の場合と同様にラベル転送が可能であることを説明する。
【００５１】
図８において、先ず、上位回線設定システム１２３は、管理サーバ１２１と管理サーバ１２２に以下のような指令を行う。
（１）端局１０１（ＩＤ：１）に収容されるＳＤＨ回線１５１のタイムスロット１（ＴＳ１）の回線を端局１０２（ＩＤ：２）に収容されるＳＤＨ回線１５２のタイムスロット２８（ＴＳ２８）の回線に接続する。
（２）端局１０５（ＩＤ：５）に収容されるＳＤＨ回線１５１ａのタイムスロット１（ＴＳ１）の回線を端局１０６（ＩＤ：６）に収容されるＳＤＨ回線１５２ａのタイムスロット２８（ＴＳ２８）の回線に接続する。
【００５２】
尚、図９に示すように、端局１０１，１０２，１０５，１０６および中継局１０３，１０４の各局には予め９ビットの装置ＩＤが割り当てられているものとする。
【００５３】
ここで、管理サーバ１２１および管理サーバ１２２は、上記の（１）および（２）の情報やラベル値から回線設定情報を作成し、配下の各局に設定する。図９の例において、管理サーバ１２１および管理サーバ１２２が配下の各局に設定する情報は以下の通りである。
（管理サーバ１２１から各局への設定情報）
・端局１０１に対して：ＴＳ１の回線のラベル値は２０４９
・端局１０５に対して：ＴＳ１の回線のラベル値は１０２４１
・中継局１０３に対して：ラベル２０４９の回線は宛先が端局１０２なので中継局１０４へ転送、ラベル１０２４１の回線は宛先が端局１０６なので中継局１０４へ転送
（管理サーバ１２２から各局への設定情報）
・中継局１０４に対して：ラベル２０４９のパケットはラベル４１２４に乗り換えて端局１０２へ転送、ラベル１０２４１のパケットはラベル１２３１６に乗り換えて端局１０６へ転送
・端局１０２に対して：ラベル４１２４のデータはＴＳ２８の位置に挿入して送信
・端局１０６に対して：ラベル１２３１６のデータはＴＳ２８の位置に挿入して送信
このようにして、上位回線設定システム１２３から指令を受けた管理サーバ１２１および管理サーバ１２２は、先に説明したルールに従って、各端局のＩＤとＳＤＨ回線のＴＳ番号とに基づいてラベル値を求め、クロスコネクト情報と共に各局に通知することができる。
【００５４】
図１０は、図６と同様に、予め決められた変換ルールに従って図９の端局１０１、端局１０２、端局１０５および端局１０６に対して管理サーバ１２１および管理サーバ１２２から払い出されるラベル値の一例を示す図である。図１０において、端局１０１と端局１０２には図６と同様にラベル値２０４９と４１２４とがそれぞれ払い出される。また、端局１０５は、装置ＩＤ：５（９ビットの二進数で000000101）とＳＤＨ回線のＴＳ：１（１１ビットの二進数：00000000001）とから２０ビットの二進数：00000010100000000001で表され、ラベル値は十進数で１０２４１となる。同様に、端局１０６は、装置ＩＤ：６（９ビットの二進数：000000110）とＳＤＨ回線のＴＳ：２８（１１ビットの二進数で00000011100）とから２０ビットの二進数：00000011000000011100で表され、ラベル値は十進数で１２３１６となる。
【００５５】
このようにして、本実施形態に係るラベルスイッチ伝送システム１００では、予め決められたルールに従って上位回線設定システム１２３から指示される接続情報（送信元および送信先の端局の装置ＩＤとＳＤＨ回線のＴＳ番号など）から一意にラベル値を決めることができるので、管理サーバ１２１と管理サーバ１２２との間でラベル値を通知するなどの連携処理を行う必要がなくなる。
【００５６】
尚、上記の実施形態ではＳＤＨ回線をＭＰＬＳ−ＴＰ回線で中継する場合について説明したが、ＳＤＨ回線の代わりに１２ビットで構成されるＶＬＡＮ−ＩＤのパケット回線をＭＰＬＳ−ＴＰ回線で中継する場合にも適用可能である。この場合は、ラベル値が２０ビットなので、装置ＩＤを９ビットではなく８ビットにすればよい。
【００５７】
以上、各実施形態に係るラベルスイッチ伝送システム１００について説明してきたが、ＳＤＨ回線をＭＰＬＳ−ＴＰ回線で中継する場合、予め決められたラベル値の変換ルールに従った変換テーブルまたは変換式を全ての管理サーバに設定しておくことにより、複数の管理サーバを跨ぐＭＰＬＳ−ＴＰ回線を経由する場合であっても、従来のように管理サーバ同士が逐次、複雑な連携処理を行うことなく、ＭＰＬＳ−ＴＰ回線で中継することができる。
【００５８】
尚、変換テーブルや変換式の内容は、各管理サーバに手動で入力してもよいし、設定ファイルを作成してネットワークなどからインポートする方法であっても構わない。
【００５９】
また、本発明に係るラベルスイッチ伝送システムおよび管理サーバ並びにラベル番号決定方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００６０】
１０１，１０２，９０１，９０４・・・端局
１０３，１０４，９０２，９０３・・・中継局
１２１，１２２，９０５，９２１，９２２・・・管理サーバ
１２３，９０６，９２３・・・上位回線設定システム
１００，９００，９００ａ・・・ラベルスイッチ伝送システム
１５１，１５２，９５１，９５２・・・ＳＤＨ回線
１５３，１５４，９５３・・・ＭＰＬＳ−ＴＰ回線
２０１・・・入力部
２０２・・・受信バッファ
２０３・・・制御部
２０４・・・データ保持部
２０５・・・出力部
【図１】
2013175911.tif 000003
【図２】
2013175911.tif 000004
【図３】
2013175911.tif 000005
【図４】
2013175911.tif 000006
【図５】
2013175911.tif 000007
【図６】
2013175911.tif 000008
【図７】
2013175911.tif 000009
【図８】
2013175911.tif 000010
【図９】
2013175911.tif 000011
【図１０】
2013175911.tif 000012
【図１１】
2013175911.tif 000013
【図１２】
2013175911.tif 000014